(57)【要約】【課題】複数の表示パネルを備えた表示装置において、小型で信頼性の高い表示装置を実現することを目的とする。【解決手段】第１表示回路基板１０１と第２表示回路基板１０７とを備え、前記第１表示回路基板１０１は、表示用の信号を光信号で送信する光送信回路１０６を備え、前記第２表示回路基板１０７は、前記光送信回路１０６からの光信号を受信する光受信回路１１２を備える表示装置の構成とする。【選択図】  図１
2004177873.tif 000002
【特許請求の範囲】
【請求項１】
第１表示回路基板と第２表示回路基板とを備え、
前記第１表示回路基板は、表示用の信号を光信号で送信する光送信回路を備え、
前記第２表示回路基板は、前記光送信回路からの光信号を受信する光受信回路を備えることを特徴とする表示装置。
【請求項２】
請求項１に記載の表示装置において、
前記第１表示回路基板は、前記表示用の信号を出力する表示用信号出力回路を備えることを特徴とする表示装置。
【請求項３】
請求項２に記載の表示装置において、
前記表示用信号出力回路は、前記第１表示回路基板又は前記第２表示回路基板の少なくとも一方の表示回路を駆動する駆動回路であることを特徴とする表示装置。
【請求項４】
請求項２に記載の表示装置において、
前記表示用信号出力回路は、前記第１表示回路基板又は前記第２表示回路基板の少なくとも一方の表示回路を駆動する駆動回路に映像信号を出力する映像処理回路であることを特徴とする表示装置。
【請求項５】
請求項１から４のいずれか１項に記載の表示装置において、
前記第１表示回路基板と前記第２表示回路基板との間に配置されバックライトを駆動する光源駆動回路を設けることを特徴とする表示装置。
【請求項６】
請求項５に記載の表示装置において、
前記第１表示回路基板又は第２表示回路基板のどちらか一方に、前記バックライトを制御する制御信号を光信号で送信する制御信号送信回路を備え、
前記第１表示回路基板と前記第２表示回路基板との間に、前記制御信号送信回路からの光信号を受信して前記光源駆動回路に制御信号を出力する制御信号受信回路を設けることを特徴とする表示装置。
【請求項７】
請求項２から６のいずれか１項に記載の表示装置において
前記表示用信号出力回路を前記第１表示回路基板に形成することを特徴とする表示装置。
【発明の詳細な説明】
【０００１】
【発明の属する技術分野】
本発明は、複数の表示パネルを備えた表示装置に関するものである。
【０００２】
【従来の技術】
携帯電話やパソコン等の表示画面に使用される表示装置として、アクティブマトリクス型液晶表示装置が主流になっている。
【０００３】
例えば、透過型のアクティブマトリクス型表示装置は、表示パネルと、表示パネルに光を照射するバックライトと、表示パネルに表示用の信号を送るための駆動用ＩＣとから構成されている。
【０００４】
上記表示パネルは、回路基板と、透明な絶縁基板上に対向電極が形成された対向基板とが、液晶層を介して貼り合わされて構成されている。回路基板には、表示回路として画素電極に表示用の信号を書込むソース配線と書込みを制御するゲート配線とが互いに交差して配設されている。そして交差部ごとに、画素電極及び該画素電極に信号を供給するためのＴＦＴ（薄膜トランジスタ）やＭＩＭ（Ｍｅｔａｌ  Ｉｎｓｕｌａｔｏｒ  Ｍｅｔａｌ）が形成されている。そしてこのような表示パネルに、駆動用ＩＣがフェイスダウンボンディングで実装されたプリント回路基板が接続されている。
【０００５】
ところで、近年では、情報表示部と着信表示部との２つの表示パネルを備えた折りたたみ式の携帯電話が主流になり、このような携帯電話にみられるように、複数の表示パネルで表示を行う電子機器の需要が高まっている。
【０００６】
このような複数の表示パネルを備えた電子機器において、各表示パネルは、駆動用ＩＣからの表示用の信号を受けて各種映像を表示するために、フレキシブルワイヤ等の配線によって表示信号線が接続されている（例えば、特許文献１参照。）。
【０００７】
ここで、特許文献１に開示されている表示装置について、図１０を用いて説明する。
【０００８】
図１０は、特許文献１に開示されている表示装置の概略構成を示す側面断面図である。
【０００９】
図１０において、１００１は第１表示パネル、１００２は第２表示パネル、１００３は第１表示パネル１００１及び第２表示パネル１００２の共用バックライトとなる導光板、１００４は遮光板、１００５は第１表示パネル１００１及び第２表示パネル１００２に表示用の信号を送るための駆動用ＩＣであり遮光板１００４上に実装されている。
【００１０】
そして、第１表示パネル１００１及び第２表示パネル１００２は、駆動用ＩＣ１００５からの表示用の信号を受けて各種映像を表示するために、フレキシブルワイヤ１００６の配線によって表示信号線が接続されている。
【００１１】
【特許文献】
特開２００１−６７０４９号公報（図４）
【００１２】
【発明が解決しようとする課題】
しかしながら、上記従来技術では、２つの表示パネルに表示用の信号を送るために、第１表示パネル１００１及び第２表示パネル１００２の外側にフレキシブルワイヤ１００６を配置して接続しなければならないため、外側に突き出ているフレキシブルワイヤ１００６部分が邪魔になり、表示装置の小型化の妨げになっていた。
【００１３】
また、このような表示装置を生産する際の組立て工程等にて、フレキシブルワイヤ１００６を傷つけて断線させて、表示動作の信頼性を損ねるおそれがあった。
【００１４】
本発明は、上記のような課題を解決するためになされたものであって、複数の表示パネルを備えた表示装置において、小型で信頼性の高い表示装置を実現することを目的とする。
【００１５】
【課題を解決するための手段】
上記課題を解決するため、本発明では、第１表示回路基板と第２表示回路基板とを備え、前記第１表示回路基板は、表示用の信号を光信号で送信する光送信回路を備え、前記第２表示回路基板は、前記光送信回路からの光信号を受信する光受信回路を備えることを特徴とするものである。
【００１６】
本発明によれば、表示用の信号を、光送信にて第１表示回路基板−第２表示回路基板間を送受信させるので、別途フレキシブルワイヤ等の配線によって表示用の信号線を接続する必要がなく、フレキシブルワイヤ等の配線を用いない分、小型で信頼性の高い表示装置を実現することができる。
【００１７】
また、本発明では、上記の表示装置において、前記第１表示回路基板は、前記表示用の信号を出力する表示用信号出力回路を備えることを特徴とするものである。
【００１８】
本発明によれば、表示用信号出力回路から出力される表示用の信号を、光送信にて第１表示回路基板−第２表示回路基板間を送受信させるので、別途フレキシブルワイヤ等の配線によって表示用の信号線を接続する必要がなく、フレキシブルワイヤ等の配線を用いない分、小型で信頼性の高い表示装置を実現することができる。
【００１９】
また、本発明では、上記の表示装置において、前記表示用信号出力回路は、前記第１表示回路基板又は前記第２表示回路基板の少なくとも一方の表示回路を駆動する駆動回路であることを特徴とするものである。
【００２０】
本発明によれば、駆動回路から出力される信号を、光送信にて第１表示回路基板−第２表示回路基板間を送受信させて表示回路に送ることができるので、別途フレキシブルワイヤ等の配線によって信号線を接続する必要がなく、フレキシブルワイヤ等の配線を用いない分、小型で信頼性の高い表示装置を実現することができる。
【００２１】
また、本発明では、上記の表示装置において、前記表示用信号出力回路は、前記第１表示回路基板又は前記第２表示回路基板の少なくとも一方の表示回路を駆動する駆動回路に映像信号を出力する映像処理回路であることを特徴とするものである。
【００２２】
本発明によれば、映像処理回路から出力される映像信号を、光送信にて第１回路基板−第２回路基板間を送受信させて駆動回路に送ることができるので、別途フレキシブルワイヤ等の配線によって映像信号線を接続する必要がなく、フレキシブルワイヤ等の配線を用いない分、小型で信頼性の高い表示装置を実現することができる。
【００２３】
また、本発明では、上記のいずれかの表示装置において、前記第１表示回路基板と前記第２表示回路基板との間に配置されバックライトを駆動する光源駆動回路を設けたことを特徴とするものである。
【００２４】
本発明によれば、例えば、バックライトを必要としない反射型液晶パネルや有機ＥＬ（Ｅｌｅｃｔｒｏ  Ｌｕｍｉｎｅｓｃｅｎｔ）パネルのみならず、バックライトを必要とする透過型液晶パネルにも適応することができる。
【００２５】
また、本発明では、上記の表示装置において、前記第１表示回路基板又は第２表示回路基板のどちらか一方に、前記バックライトを制御する制御信号を光信号で送信する制御信号送信回路を備え、前記第１表示回路基板と前記第２表示回路基板との間に、前記制御信号送信回路からの光信号を受信して光源駆動回路に制御信号を出力する制御信号受信回路を備えることを特徴とするものである。
【００２６】
本発明によれば、バックライト制御信号を、光送信にて第１表示回路基板又は第２表示回路基板−光源駆動回路基板間を送受信させてバックライトを制御することができるので、別途フレキシブルワイヤ等の配線によってバックライト制御信号線を接続する必要がなく、フレキシブルワイヤ等の配線を用いない分、小型で信頼性の高い表示装置を実現することができる。
【００２７】
また、本発明では、上記の表示装置において、前記表示用信号出力回路を前記第１表示回路基板に形成することを特徴とするものである。
【００２８】
本発明によれば、例えば、ガラス製の表示回路基板に、表示用信号出力回路を、多結晶シリコン又は連続粒界結晶シリコン（以下「ＣＧシリコン」と記載する）等によって形成することにより、別途回路基板等を用いて表示用信号出力回路を設ける必要がないので、表示装置を小型化にすることができる。
【００２９】
【発明の実施の形態】
以下、本発明の実施の一形態について、図１から図６を参照して説明する。なお、以下の説明では、本発明を、バックライトを必要とする透過型液晶パネルに適用した実施の形態ついて説明するが、本発明は、複数の表示パネルを備えた表示装置であれば、これ以外のものでも適用可能である。すなわち、バックライトを必要としない、複数の表示パネルを備えた反射型液晶パネルや有機ＥＬパネル等でも適用可能である。
【００３０】
図１は、本発明による実施の一形態の表示装置の概略構成を示す側面断面図である。
【００３１】
図１において、１０１はガラス製の第１表示回路基板、１０２は複数の画素に対応するそれぞれのＴＦＴやＭＩＭ及びそれぞれの画素電極をマトリクス状に配列したアクティブマトリクス方式の回路等の第１液晶表示回路、１０３は第１液晶表示回路１０１を駆動させる第１駆動回路、１０４は映像信号を処理する第１映像処理回路、１０５はＬＥＤ（Ｌｉｇｈｔ  Ｅｍｉｔｔｉｎｇ  Ｄｉｏｄｅ：発光ダイオード）等の発光部、１０６は映像信号を光信号に変調して発光部１０５から送信させる光送信回路、１０７はガラス製の第２表示回路基板、１０８はアクティブマトリクス方式の回路等の第２液晶表示回路、１０９は第２液晶表示回路１０８を駆動させる第２駆動回路、１１０は映像信号を処理する第２映像処理回路、１１１はフォトトランジスタ等の受光部、１１２は受光部１１１にて受信した光信号を映像信号に復調する光受信回路、１１３は両面照明可能なシート形状のＥＬ（Ｅｌｅｃｔｒｏ  Ｌｕｍｉｎｅｓｃｅｎｔ）素子等のバックライト、１１４はバックライト１１３を駆動させる光源駆動回路、１１５は制御信号受光部、１１６は制御信号受光部１１５にて受信した光信号をバックライト制御信号に復調する制御信号受信回路、１１７はバックライト１１３，光源駆動回路１１４，制御信号受光部１１５及び制御信号受信回路１１６を備えた光源駆動回路基板である。
【００３２】
このように、本実施の形態の表示装置は、大きく分けて３種類の回路基板から構成されており、それらの回路基板が積層されてなるものである。すなわち、本実施の形態の表示装置は、（１）図中最上部に配置される第１表示回路基板１０１とその表面に配置された各種回路とからなる第１表示パネル，（２）図中最下部に配置される第２表示回路基板１０７とその表面に配置された各種回路とからなる第２表示パネル，（３）第１回路基板と前記第２回路基板との間に配置されバックライト１１３やそれを駆動する光源駆動回路１１４等の回路が配置された光源駆動回路基板１１７から構成されている。
【００３３】
なお、本実施の形態の表示装置では、光源駆動回路基板１１７を用いているが、本発明は、第１回路基板１０１と第２回路基板１０７との間にバックライト１１３やそれを駆動する光源駆動回路１１４等の回路を配置した構成であれば良く、例えば、このような光源駆動回路基板１１７を使用せず、第１回路基板１０１又は第２回路基板１０７上にバックライト１１３やそれを駆動する光源駆動回路１１４等の回路を配置しても良い。
【００３４】
図２は、第１表示回路基板１０１の概略構成図であり、（Ａ）は正面図、（Ｂ）はブロック図である。
【００３５】
図２において、２０１は各種信号処理を行う第１マイクロコンピュータ（表示用信号出力回路）、１０５ａは映像信号の送信用の発光部、１０６ａは映像信号を光信号に変調して発光部１０５ａから送信させる光送信回路、１０５ｂはバックライト１１３を駆動させるための制御信号の送信用の発光部、１０６ｂは制御信号を光信号に変調して発光部１０５ｂから送信させる光送信回路（制御信号送信回路）である。
【００３６】
図３は、光源駆動回路基板１１７の概略構成図であり、（Ａ）は正面図、（Ｂ）はブロック図である。
【００３７】
図４は、第２表示回路基板１０７の概略構成図であり、（Ａ）は正面図、（Ｂ）はブロック図である。
【００３８】
図４において、４０１は各種信号処理を行う第２マイクロコンピュータである。
【００３９】
なお、図２から図４において、上記図１にて説明したものと同様のものには同じ符号を付与する。
【００４０】
ここで、図１から図４を参照して本実施の形態の表示装置の動作を説明する。
【００４１】
まず、第１の動作状態として、第１表示パネルのみに映像を表示する動作状態について説明する。
【００４２】
第１表示回路基板１０１に備えられた第１マイクロコンピュータ２０１には、図示しない外部回路から、第１表示パネルに表示するための映像信号（映像信号Ａ又は映像信号Ｂ）と、表示モードの選択指示等の制御信号とが入力される。第１マイクロコンピュータ２０１は、制御信号による表示モードの選択指示が「第１表示パネルのみに映像を表示」という指示の場合、入力された映像信号を第１映像処理回路１０４に出力する。第１映像処理回路１０４では、入力された映像信号に対してＹ／Ｃ分離処理，ビデオクロマ処理，Ａ／Ｄ変換処理等の各種映像処理を施し、その後、処理された映像信号は、第１駆動回路１０３に出力される。第１駆動回路１０３は、第１マイクロコンピュータ２０１からの駆動タイミング信号に基づき、第１液晶表示回路１０２を駆動して映像信号を第１液晶表示回路１０２に表示させる。
【００４３】
また、上記のように映像信号を第１液晶表示回路１０２に表示させる際に、第１マイクロコンピュータ２０１は、バックライト１１３を点灯させるために、まず、バックライト１１３を点灯させるためのバックライト制御信号を光送信回路１０６ｂに出力する。光送信回路１０６ｂは、バックライト制御信号を光信号に変調し発光部１０５ｂを発光させて光送信を行う。そして、光送信された光信号は、光源駆動回路基板１１７に備えられた制御信号受光部１１５で受信され、制御信号受信回路１１６にてバックライト制御信号に復調される。この復調されたバックライト制御信号に基づいて光源駆動回路１１４はバックライト１１３を駆動して点灯させる。このことにより、透過型液晶パネルである第１表示パネルに表示された映像が視認できるようになる。
【００４４】
次ぎに、第２の動作状態として、第２表示パネルのみに映像を表示する動作状態について説明する。
【００４５】
第１表示回路基板１０１に備えられた第１マイクロコンピュータ２０１には、図示しない外部回路から、第２表示パネルに表示するための映像信号（映像信号Ａ又は映像信号Ｂ）と、表示モードの選択指示等の制御信号とが入力される。第１マイクロコンピュータ２０１は、制御信号による表示モードの選択指示が「第２表示パネルのみに映像を表示」という指示の場合、入力された映像信号を光送信回路１０６ａに出力する。光送信回路１０６ａでは、映像信号を光信号に変調し発光部１０５ａを発光させて光送信を行う。そして、光送信された光信号は、第２表示回路基板１０７に備えられた受光部１１１で受信され、光受信回路１１２にて映像信号に復調される。この復調された映像信号は第２映像処理回路１１０に出力される。第２映像処理回路１１０では、入力された映像信号に対してＹ／Ｃ分離処理，ビデオクロマ処理，Ａ／Ｄ変換処理等の各種映像処理を施し、その後、処理された映像信号は、第２駆動回路１０９に出力される。第２駆動回路１０９は、第２マイクロコンピュータ４０１からの駆動タイミング信号に基づき、第２液晶表示回路１０８を駆動して映像信号を第２液晶表示回路１０８に表示させる。
【００４６】
また、上記のように映像信号を第２液晶表示回路１０８に表示させる際に、第１マイクロコンピュータ２０１は、バックライト１１３を点灯させるために、上記第１の動作状態の場合と同様の処理を行い、バックライト１１３を点灯させる。このことにより、透過型液晶パネルである第２表示パネルに表示された映像が視認できるようになる。
【００４７】
次に、第３の動作状態として、第１表示パネル及び第２表示パネルの両方に同じ映像を表示する動作状態について説明する。
【００４８】
第１表示回路基板１０１に備えられた第１マイクロコンピュータ２０１には、図示しない外部回路から、第１表示パネルに表示するための映像信号（映像信号Ａ又は映像信号Ｂ）と、表示モードの選択指示等の制御信号とが入力される。第１マイクロコンピュータ２０１は、制御信号による表示モードの選択指示が「第１表示パネル及び第２表示パネルの両方に同じ映像を表示」という指示の場合、入力された映像信号を光送信回路１０６ａ及び第１映像処理回路１０４の双方に出力する。
【００４９】
一方の光送信回路１０６ａでは、映像信号を光信号に変調し発光部１０５ａを発光させて光送信を行う。そして、光送信された光信号は、第２表示回路基板１０７に備えられた受光部１１１で受信され、光受信回路１１２にて映像信号に復調される。この復調された映像信号は、上記第２の動作状態の場合と同様の処理がなされ、第２液晶表示回路１０８に表示させる。
【００５０】
また、他方の第１映像処理回路１０４に出力された映像信号は、上記第１の動作状態の場合と同様の処理がなされ、第１液晶表示回路１０２に表示させる。この際に、第１液晶表示回路１０２に表示される映像は、第２液晶表示回路１０８に表示される映像と同じ映像信号なので、第１表示パネル及び第２表示パネルの両方に同じ映像が表示される。
【００５１】
また、上記のように映像信号を第１液晶表示回路１０２及び第２液晶表示回路１０８に表示させる際に、第１マイクロコンピュータ２０１は、バックライト１１３を点灯させるために、上記第１の動作状態の場合と同様の処理を行い、バックライト１１３を点灯させる。このことにより、透過型液晶パネルである第１表示パネル及び第２表示パネルに表示された映像が視認できるようになる。
【００５２】
次に、第４の動作状態として、第１表示パネル及び第２表示パネルのそれぞれに異なる映像を表示する動作状態について説明する。
【００５３】
第１表示回路基板１０１に備えられた第１マイクロコンピュータ２０１には、図示しない外部回路から、第１表示パネルに表示するための映像信号Ａ及び映像信号Ｂの２種類の映像信号と、表示モードの選択指示等の制御信号とが入力される。第１マイクロコンピュータ２０１は、制御信号による表示モードの選択指示が「第１表示パネルに映像信号Ａの映像，第２表示パネルに映像信号Ｂの映像を表示」という指示の場合、入力された映像信号Ａを第１映像処理回路１０４に出力し、映像信号Ｂを光送信回路１０６ａに出力する。
【００５４】
一方の第１映像処理回路１０４に出力された映像信号Ａは、上記第１の動作状態の場合と同様の処理がなされ、第１液晶表示回路１０２に表示させる。
【００５５】
また、他方の光送信回路１０６ａに出力された映像信号Ｂは、上記第２の動作状態の場合と同様の処理がなされ、第２液晶表示回路１０８に表示させる。
【００５６】
また、上記のように映像信号Ａ及び映像信号Ｂを第１液晶表示回路１０２及び第２液晶表示回路１０８に表示させる際に、第１マイクロコンピュータ２０１は、バックライト１１３を点灯させるために、上記第１の動作状態の場合と同様の処理を行い、バックライト１１３を点灯させる。このことにより、透過型液晶パネルである第１表示パネル及び第２表示パネルに表示された映像が視認できるようになる。
【００５７】
また、上述した図２（Ｂ）に示す光送信回路１０６及び発光部１０５は、光送信回路１０６ｂ及び発光部１０５ｂを必要としない構成にしても良く、このことについて図７を参照して説明する。
【００５８】
図７は、図２（Ｂ）に示す光送信回路１０６及び発光部１０５の光送信回路１０６ｂ及び発光部１０５ｂを無くした場合のブロック図であり、（Ａ）は第１表示回路基板１０１側のブロック図で、（Ｂ）は光源駆動回路基板１１７側のブロック図である。なお、図７において、上記図１〜４にて説明したものと同様のものには同じ符号を付与する。
【００５９】
ここで、第１表示回路基板１０１上の発光部１０５と第２表示基板１０７上の受光部１１１とは光軸を合わせて配置されている。また、光源駆動回路基板１１７の制御信号受光部１１５は、発光部１０５からの発光光束範囲内でかつ前記光軸を外した位置に配置されている。
【００６０】
上述の第２〜４の動作状態のように、第２表示パネルに映像を表示する際には、第１表示回路基板１０１上の発光部１０５から第２表示基板１０７上の受光部１１１へ映像信号が光信号で伝送され、その際に光源駆動回路基板１１７上の制御信号受光部１１５でも映像信号が受信され、制御信号受信回路１１６にて映像信号が復調される。
【００６１】
そして、復調された映像信号は同期信号検出回路７０１に入力される。同期信号検出回路７０１では、映像信号から同期信号を検出することで、光源駆動回路１１４へバックライト点灯のトリガ信号を出力し、バックライト１１３を駆動して点灯させる。このように、映像信号の受信に伴いバックライト１１３は自動点灯する。なお、上述の第１の動作状態のように、第１表示パネルのみを表示させる際は、制御信号受光部１１５にバックライト制御信号のみを送信すればよい。
【００６２】
また、上記実施形態の表示装置では、第２映像処理回路１１０にて処理するための映像信号を、光送信回路１０６−光受信回路１１２間で光信号にて送受信していたが、第２液晶表示回路１０８を駆動させるための駆動回路からの信号を、光送信回路１０６−光受信回路１１２間で光信号にて送受信することも可能であり、また、第２駆動回路１０９に出力する映像処理回路からの映像信号を、光送信回路１０６−光受信回路１１２間で光信号にて送受信する構成にしても良く、このことについて、図８，９を参照して説明する。
【００６３】
図８は、第１表示回路基板１０１上に第２映像処理回路１１０と第２駆動回路１０９とを備えて、第２表示パネルの駆動信号を光送信する表示装置のブロック図であり、（Ａ）は第１表示回路基板１０１側のブロック図、（Ｂ）は第２表示回路基板１０７側のブロック図である。なお、図８において、上記図１〜４にて説明したものと同様のものには同じ符号を付与する。
【００６４】
このような構成の表示装置では、第１マイクロコンピュータ２１０が「第２表示パネルに映像信号を表示する」という制御信号を受けて、第２表示パネルに映像信号を表示する場合、入力された映像信号（映像信号Ａ又は映像信号Ｂ）を第２映像処理回路１１０に出力する。第２映像処理回路１１０では、入力された映像信号に対してＹ／Ｃ分離処理，ビデオクロマ処理，Ａ／Ｄ変換処理等の各種映像処理を施し、その後、処理された映像信号は、第２駆動回路１０９に出力される。第２駆動回路１０９は、第１マイクロコンピュータ２０１からの駆動タイミング信号と第２映像処理回路１１０出力信号に基づき、第２液晶表示回路１０８の駆動信号を生成し光送信回路１０６ａへ送る。光送信回路１０６ａでは、第２液晶表示回路１０８駆動信号を光信号に変調し発光部１０５ａを発光させて光送信を行う。そして、光送信された光信号は、第２表示回路基板１０７に備えられた受光部１１１で受信され、光受信回路１１２にて第２液晶表示回路１０８駆動信号に復調される。この復調された第２液晶表示回路１０８駆動信号で第２液晶表示回路１０８を駆動して映像信号を第２液晶表示回路１０８に表示させる。
【００６５】
次に図９は、第１表示回路基板１０１上に第２映像処理回路１１０を備えて、映像処理後の映像信号（映像処理信号）を光送信する表示装置のブロック図であり、（Ａ）は第１表示回路基板１０１側のブロック図、（Ｂ）は第２表示回路基板１０７側のブロック図である。なお、図９において、上記図１〜４にて説明したものと同様のものには同じ符号を付与する。
【００６６】
このような構成の表示装置では、第１マイクロコンピュータ２１０が「第２表示パネルに映像信号を表示する」という制御信号を受けて、第２表示パネルに映像信号を表示する場合、入力された映像信号（映像信号Ａ又は映像信号Ｂ）を第２映像処理回路１１０に出力する。第２映像処理回路１１０では、入力された映像信号に対してＹ／Ｃ分離処理，ビデオクロマ処理，Ａ／Ｄ変換処理等の各種映像処理を施し、その後、処理された映像処理信号を光送信回路１０６ａへ送る。光送信回路１０６ａでは、映像処理信号を光信号に変調し発光部１０５ａを発光させて光送信を行う。そして、光送信された光信号は、第２表示回路基板１０７に備えられた受光部１１１で受信され、光受信回路１１２にて映像処理信号に復調される。この復調された映像処理信号は第２マイクロコンピュータ４０１に入力され、第２マイクロコンピュータ４０１は駆動タイミング信号と共に第２駆動回路へ出力する。第２駆動回路１０９は、第２マイクロコンピュータ４０１からの駆動タイミング信号に基づき、第２液晶表示回路１０８を駆動して映像信号を第２液晶表示回路１０８に表示させる。
【００６７】
なお、上記説明の本実施の形態の表示装置で用いられるバックライト１１３は、シート形状のＥＬ素子等のバックライトを用いたものであるが、本発明はこれに限定されるものではない。すなわち、バックライト用の光源としてＬＥＤを用いても良い。
【００６８】
以下に、図５，６を参照してバックライトの光源としてＬＥＤを用いたＬＥＤバックライトについて説明する。なお、図５，６において、上記図１，３にて説明したものと同様のものには同じ符号を付与する。
【００６９】
図５は、ＬＥＤバックライトを用いた光源駆動回路基板の概略構成を示す側面断面図である。
【００７０】
図６は、ＬＥＤバックライトを用いた光源駆動回路基板の概略構成を示す正面図である。
【００７１】
図５，６において、５０１は白色ＬＥＤを直線状に配置したＬＥＤアレイ、５０２はＬＥＤアレイ５０１を端部に配置しＬＥＤアレイ５０１が発する光を伝える導光体である。
【００７２】
このようなＬＥＤバックライトの駆動動作は、上記第１の動作状態の説明のバックライトの駆動動作と同様に、光源駆動回路基板１１７に備えられた制御信号受光部１１５で受信され制御信号受信回路１１６にてバックライト制御信号に復調されたバックライト制御信号に基づいて、光源駆動回路１１４がＬＥＤアレイ５０１を点灯させる。そして、ＬＥＤアレイ５０１を端部に配置した導光体５０２が光を導き、導光体５０２の両面を面発光させる。
【００７３】
なお、上記のシート形状のＥＬ素子等のバックライトやＬＥＤバックライトが発する光の発光ムラを低減するために、バックライトの発光面に、光を拡散する拡散板を設けたり、バックライトの発光面と接する第１表示回路基板１０１及び第２表示回路基板１０７の表面に粗化処理を施して光の拡散層を形成したりしても良い。
【００７４】
また、第１表示パネル又は第２表示パネルに表示された映像が、上記各種バックライトを挟んで裏面側に配置されている第２表示パネル又は第１表示パネル上に、バックライトを透かして表示されないように、バックライトの発光する両面の内側に遮光面等を設けて透けないようにしても良い。
【００７５】
以上のように本実施の形態では、第１マイクロコンピュータ２０１から出力される映像信号を、光送信にて第１表示回路基板１０１−第２表示回路基板１０７間を送受信させるので、別途フレキシブルワイヤ等の配線によって映像信号用の配線を接続する必要がなく、フレキシブルワイヤ等の配線を用いない分、小型で信頼性の高い表示装置を実現することができる。
【００７６】
また、第１マイクロコンピュータから出力されるバックライト制御信号を、光送信にて第１表示回路基板１０１−光源駆動回路基板１１７間を送受信させてバックライトを制御することができるので、別途フレキシブルワイヤ等の配線によってバックライト制御信号用の配線を接続する必要がなく、フレキシブルワイヤ等の配線を用いない分、小型で信頼性の高い表示装置を実現することができる。
【００７７】
また、ガラス製の第１表示回路基板１０１又は第２表示回路基板１０７に、第１駆動回路１０３，第１映像処理回路１０４，第２駆動回路１０９，第２映像処理回路１１０，第１マイクロコンピュータ２０１及び第２マイクロコンピュータ４０１のうち少なくとも一つを多結晶シリコン又はＣＧシリコン等によって形成することにより、別途回路基板等を用いて上記回路を設ける必要がないので、表示装置を小型化にすることができる。
【００７８】
なお、上記第１コンピュータ２０１及び第２コンピュータ４０１は、上記説明の制御を行うことができる汎用のマイコンを用いても良いが、これに限らず、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向け集積回路）等であっても良い。
【００７９】
また、発光部１０５ａ−受光部１１１間で送受信される映像信号は、上記記載のものに限らず、例えば、静止画であればＪＰＥＧ（Ｊｏｉｎｔ  Ｐｈｏｔｏｇｒａｐｈｉｃｓ  Ｅｘｐｅｒｔｓ  Ｇｒｏｕｐ）、また動画であればＭＰＥＧ（Ｍｏｖｉｎｇ  Ｐｉｃｔｕｒｅ  Ｅｘｐｅｒｔｓ  Ｇｒｏｕｐ）等の圧縮画像であってもよい。いずれにせよ、第１コンピュータ２０１及び第２コンピュータ４０１が、第１表示パネル及び第２表示パネルに表示可能なように入力された映像信号を変換（復調）できれば良い。
【００８０】
また、上記説明の本実施の形態の表示装置では、第１表示回路基板１０１に光送信回路１０６及び発光部１０５を備え、第２表示回路基板１０７に光受信回路１１２及び受光部１１１を備えているがこれに限らず、例えば、第１表示回路基板１０１及び第２表示回路基板１０７の両方に、光送信回路及び発光部並びに光受信回路及び受光部を備えても良い。このことにより、映像信号等の光送受信を第１表示回路基板１０１−第２表示回路基板１０７間で双方向に通信させることが可能となる。
【００８１】
【発明の効果】
以上のように、本発明によれば、表示用信号出力回路から出力される表示用の信号を、光送信にて第１表示回路基板−第２表示回路基板間を送受信させるので、別途フレキシブルワイヤ等の配線によって表示用の信号線を接続する必要がなく、フレキシブルワイヤ等の配線を用いない分、小型で信頼性の高い表示装置を実現することができる。
【図面の簡単な説明】
【図１】本発明による実施の一形態の表示装置の概略構成を示す側面断面図である。
【図２】実施の一形態の第１表示回路基板の概略構成図であり、（Ａ）は正面図、（Ｂ）はブロック図である。
【図３】実施の一形態の光源駆動回路基板の概略構成図であり、（Ａ）は正面図、（Ｂ）はブロック図である。
【図４】実施の一形態の第２表示回路基板の概略構成図であり、（Ａ）は正面図、（Ｂ）はブロック図である。
【図５】実施の一形態のＬＥＤバックライトを用いた光源駆動回路基板の概略構成を示す側面断面図である。
【図６】実施の一形態のＬＥＤバックライトを用いた光源駆動回路基板の概略構成を示す正面図である。
【図７】実施の一形態の変形例であり、（Ａ）は第１表示回路基板側のブロック図で、（Ｂ）は光源駆動回路基板側のブロック図である。
【図８】実施の一形態の変形例であり、（Ａ）は第１表示回路基板側のブロック図、（Ｂ）は第２表示回路基板側のブロック図である。
【図９】実施の一形態の変形例であり、（Ａ）は第１表示回路基板側のブロック図、（Ｂ）は第２表示回路基板側のブロック図である。
【図１０】従来の表示装置の概略構成を示す側面断面図である。
【符号の説明】
１０１  第１表示回路基板
１０２  第１液晶表示回路（表示回路）
１０３  第１駆動回路（表示用信号出力回路，駆動回路）
１０４  第１映像処理回路（表示用信号出力回路，映像処理回路）
１０６  光送信回路
１０６ｂ  光送信回路（制御信号送信回路）
１０７  第２表示回路基板
１０８  第２液晶表示回路（表示回路）
１０９  第２駆動回路（駆動回路）
１１０  第２映像処理回路（映像処理回路）
１１２  光受信回路
１１３  バックライト
１１４  光源駆動回路
１１６  制御信号受信回路
２０１  第１マイクロコンピュータ（表示用信号出力回路）
【図１】
2004177873.tif 000003
【図２】
2004177873.tif 000004
【図３】
2004177873.tif 000005
【図４】
2004177873.tif 000006
【図５】
2004177873.tif 000007
【図６】
2004177873.tif 000008
【図７】
2004177873.tif 000009
【図８】
2004177873.tif 000010
【図９】
2004177873.tif 000011
【図１０】
2004177873.tif 000012